(57)【要約】【課題】包装箱の補強部の内面間を突っ張る補強片が脱落しにくいようにし、且つ簡単に組立てできるようにする。【解決手段】凹状収納部２１の側板２６の上縁に折目線ｒを介して延長片を設け、上記補強部１０は、前記延長片を内側に折り曲げてその先端を上記底板２に固定して前記底板２と平行な筒状の補強部１０を設ける。前後面板３，４の側縁に折込片２８を設けてその折込片２８を前記補強部１０内へ前記筒軸方向に沿って差し入れる。その折込片２８に、前記補強部１０の内面間を突っ張る補強片２５を突出して設け、その補強片２５が補強部１０内の対向する内面間を結ぶ方向に位置して、その補強部１０の断面形状が変形しないように保持する。補強片２５の板面方向は任意に設定できるので、その折込辺と補強片との接続長さを充分に確保し得る。両者の接続長さが充分であれば、折込片２８と補強片２５とは強固に固定され補強片２５は脱落しにくくなる。【選択図】図１
2007069948.tif 000002
【特許請求の範囲】
【請求項１】
底板２と複数の側面パネルで構成された凹状収納部の一の側面パネルに沿って、その筒軸方向が前記底板２と平行な筒状の補強部１０を設け、その一の側面パネルに隣接する他の側面パネルの側縁に折込片を設けてその折込片を前記補強部１０内へ前記筒軸方向に沿って差し入れ、その折込片に、前記補強部１０の対向する内面間を突っ張る補強片２５を突出して設けたことを特徴とする包装箱。
【請求項２】
上記側面パネルの上縁に折目線ｒを介して延長片を設け、上記補強部１０は、前記延長片を内側に折り曲げてその先端を上記底板２に固定することにより形成されることを特徴とする請求項１に記載の包装箱。
【請求項３】
上記補強片２５は、上記折込片に折目線２５ａを介して起伏自在に設けられることを特徴とする請求項１又は２に記載の包装箱。
【請求項４】
上記補強片２５は、上記折込片に折目線２５ａを介して起伏自在に設けられて、その補強片２５の上縁を上記側面パネルの上縁よりも上へ突出させたことを特徴とする請求項２に記載の包装箱。
【発明の詳細な説明】
【技術分野】
【０００１】
この発明は、菓子などを収容するための包装箱に関するものである。
【背景技術】
【０００２】
例えば、チョコレートやキャンディーなど菓子類や各種食品などを収納する紙製包装箱として、上方開口した凹状の収納部と、その上方開口を塞ぐ各種構造の蓋を開閉自在に設けたものが一般的である。
【０００３】
例えば、底板とその周囲に立ち上がる４枚の側面パネル、すなわち前面板と後面板及び左右側板とからなる凹状の収納部を設け、その収納部の上面開口を塞ぐ蓋板を前記後面板の上端縁に開閉自在に設けたものがある（例えば、特許文献１参照）。
また、凹状の収納部（容器本体）を筒状のカバー内に挿通自在として、その筒状のカバーにより前記収納部の上面開口を塞ぐようにしたものもある（例えば、特許文献２参照）。
【特許文献１】特開２００２−１６６９２６号公報
【特許文献２】特開２００４−２３１２９２号公報
【０００４】
特許文献１に記載の包装箱は、底板周囲に立ち上がる側面パネルが薄板状であるので、収納部の剛性をそれほど高くできないという問題がある。
この点、特許文献２に記載の包装箱は、収納部の４つの側面パネルのうち一の側面パネルを起伏自在とし、その一の側面パネルに沿って中空筒状の引出片（補強部）を形成している。この態様において、前記一の側面パネルを底板から立ち上げた状態に固定すれば、収納部の剛性は相対的に幾分高くなるといえる。
しかし、この筒状の引出片（補強部）は指で押えると、内部に突っ張りがないので中空の部分が押しつぶされやすく、その剛性向上の効果は小さい。
【０００５】
そこで、その剛性を高めるために、例えば、図７に示す包装箱１１のように、筒状の補強部１０内に、その内面間を横方向に突っ張る補強片１５を差し入れる場合がある。
【０００６】
この包装箱１１の構成は、収納部１を構成する４枚の側面パネルのうち側板（右側板）６の上縁に、折目線ｒを介して連続する３つの延長片を水平延長片１２、垂直延長片１３、接着用延長片１４の順に設ける。その最初の水平延長片１２の幅方向（図中に示すＷ方向）両端縁に折目線ｓを介して対の補強片１５，１５が設けられている。
各延長片１２，１３，１４は、図７に示すように、それぞれ折目線ｒを介して順に折り込まれて、最後の接着用延長片１４は底板２に糊付して固定され、底板２及び側板６とともに断面四角形の筒状補強部１０を構成する。また、前記水平延長片１２に設けられた前記対の補強片１５，１５は、それぞれ前面板３及び後面板４の内側に差し込まれる。
【０００７】
このとき、補強片１５は、上記筒状の補強部１０内においてその補強部１０の筒軸に交差する方向に配置され、その補強片１５の外側縁１５ａは、前面板３及び後面板４にそれぞれ設けられて側板６の内面に沿って折り込まれた折込片８，８の内面に、また、内側縁１５ｂは前記垂直延長片１３の内面に当接する。この当接により、補強片１５は、補強部１０の内面間で横方向に突っ張って、その補強部１０を図示するＡ−Ａ断面において所定の断面四角形の形状に保持する。
補強片１５が補強部１０の断面形状を保持するので、収納部１すなわち包装箱１１の剛性が高められ、その形崩れを防止し得る。なお、通常は、図７に示さない左側板５側にも、同様な構造を有する補強部１０が併せて設けられる。
【発明の開示】
【発明が解決しようとする課題】
【０００８】
しかし、上記構成の包装箱１１において、収納部１内のスペースを広く確保するために、補強部１０の側板６からの突出長さを短く、すなわち補強部１０の断面幅Ｌを小さくすると、図７に示す折目線ｓの長さも短くなるので補強片１５が延長片１２から切れやすく（脱落しやすく）なるという問題がある。補強片１５が切れると収納部１の剛性が低くなり、包装箱１１は形崩れしやすくなるので好ましくない。
【０００９】
また、上記のように補強片１５を設けた場合、その組立ての際には、例えば、図８（ａ）に示すように、補強部１０を設けた側の側面パネルである側板６をまず底板２から立ち上げて、続いて３つの延長片１２，１３，１４を内側に折り込んで筒状の補強部１０を形成し、さらに補強片１５を内側に折り込んでおくという手法が考えられる（第一の組立方法）。
しかし、この方法によれば、図中に矢印で示すように、折込片８を側板６の内側に差し込もうとすると、その折込片８の先端が水平延長片１２に当たるので差し込みにくいという問題がある。したがって、この第一の組立方法は好ましくない。
【００１０】
逆に、図８（ｂ）に示すように、補強部１０を形成するよりも先に、前後面板３，４を底板２から立ち上げて折込片８を内側に折り込んでおくという手法も考えられる（第二の組立方法）。
しかし、この方法によれば、補強部１０を形成するために、上記側板６及び各延長片１２，１３，１４を折目線ｒに沿って折り曲げようとすると、側方に突出する補強片１５（図８（ｂ）実線参照）が前後面板３，４あるいは蓋板７に当たってしまうという問題がある。
その補強片１５が前後面板３，４等に当たらないよう、仮に、補強片１５を内側に折り込んだ状態（図８（ｂ）鎖線参照）に終始維持しようとすると、上記各延長片１２，１３，１４の折り曲げとともに移動する補強片１５を、終始何らかの手段により保持しなければならず、包装箱の組立工程が複雑になる。
【００１１】
包装箱が組立てしにくいと作業が煩雑となるので好ましくなく、また、複雑な組立て作業は、製造工程においてコスト高の要因となるので、今日のコストダウンの要請に合致しない。したがって、包装箱は、簡単に組立てできることが望ましい。
【００１２】
そこで、この発明は、剛性を高める上記構成の筒状の補強部を有する包装箱において、その補強部の対向する内面間を突っ張る補強片が脱落しにくいようにすることを第一の課題とし、その補強部と補強片を有する包装箱を簡単に組立てできるようにすることを第二の課題とする。
【課題を解決するための手段】
【００１３】
上記第一の課題を解決するために、この発明は、上記筒状の補強部の対向する内面間を突っ張る補強片を、その補強部内に筒軸方向に沿って差し入れられる隣接側面パネルの折込片に設けたのである。
【００１４】
折込片は、上記凹状を成す収納部の高さ方向に所定の高さを有しており、また、上記補強部の筒軸方向に沿って所定の長さを有している。
また、補強片の板面の面方向は任意の方向であってよい。すなわち、補強片は、補強部内の対向する内面間を突っ張る限りにおいてその板面の方向は自由であり、例えば、底板に平行な板面を有する補強片であってもよいし、底板に垂直であり、補強部の筒軸方向に交差する板面を有する補強片であってもよい。また、底板に対して傾斜させた斜め方向の板面を有する補強片であってもよい。
このため、補強部の側面パネルからの突出長さが短い（断面幅が小さい）場合であっても、補強片の板面の向きを選択することにより、その折込辺と補強片との接続部分の向きを変えて、両者の接続長さを充分に確保し得る。したがって、折込辺と補強片とは強固に固定され、補強片は脱落しにくくなる。
【００１５】
上記「補強部の対向する内面間を突っ張る補強片」とは、補強片が補強部内の対向する内面間を結ぶ方向に位置して、その補強部の断面形状が変形しないように保持する機能を有する補強片をいう。補強部内の対向する両内面へ補強片の縁がともに当接することによって、その補強片の剛性で突っ張ってもよいし、折込片を側面パネルに当接させて、両内面のうち一方へはその折込片を介して突っ張ってもよい。
【００１６】
また、上記第二の課題を解決するために、この発明は、上記折込片に補強片を設けた構成において、上記側面パネルの補強部を、その側面パネルの上縁に設けた延長片を折り曲げることにより筒状に形成するようにしたのである。
このようにすれば、上記折込片を隣接する側面パネルの内側に折り込んで補強片を所定方向に起立させた後、その折込片及び補強片を覆うように延長片を折り曲げて補強部を形成することができる。すなわち、折込片に補強片が設けられていれば、前記延長片により補強部を形成する際に、その補強片がじゃまになることがない。したがって、包装箱を簡単に組立てできる。
【発明の効果】
【００１７】
この発明は、以上のようにしたので、剛性を高める上記構成の筒状の補強部を有する包装箱において、その補強部の対向する内面間を突っ張る補強片が脱落しにくく、また、包装箱を簡単に組立てできる。
【発明を実施するための最良の形態】
【００１８】
上記第一の課題を解決するための手段の実施形態として、底板と複数の側面パネルで構成された凹状収納部の一の側面パネルに沿って、その筒軸方向が前記底板と平行な筒状の補強部を設け、その一の側面パネルに隣接する他の側面パネルの側縁に折込片を設けてその折込片を前記補強部内へ前記筒軸方向に沿って差し入れ、その折込片に、前記補強部の対向する内面間を突っ張る補強片を設けた構成を採用し得る。
なお、上記筒状の補強部は、側面パネルの全長に亘って連続的に設けられていてもよいし、その全長に亘って断続的に、あるいは側面パネルに沿って部分的に設けられていても上記効果を発揮し得る。また、その筒状の補強部の断面形状は、断面四角形であってもよいし、そのほか、断面台形、断面多角形など各種形状を採用し得る。
【００１９】
上記第二の課題を解決するための手段の実施形態として、上記側面パネルの上縁に折目線を介して延長片を設け、上記補強部を、前記延長片を内側に折り曲げてその先端を上記底板に固定することにより形成されるようにした構成を採用し得る。
【００２０】
また、上記の各構成において、上記補強片を、上記折込片に折目線を介して起伏自在に設けた構成を採用し得る。このようにすれば、包装箱を一枚のブランクで構成することができ、部材点数を少なくし得る。
さらに、上記のごとく、側面パネルの上縁に折目線を介して延長片を設け、上記補強部を、前記延長片を内側に折り曲げてその先端を上記底板に固定することにより形成されるようにした構成において、上記補強片を、上記折込片に折目線を介して起伏自在に設けて、その補強片の上縁を上記側面パネルの上縁よりも上へ突出させた構成を採用し得る。
このようにすれば、延長片を折り曲げて補強部を形成する際に、その補強片の突出部分は折り曲げた延長片に押されるので、補強片は自動的に内側に立ち上がる。このため、組み立て作業がさらに簡単になる。
【実施例１】
【００２１】
実施例１を図１乃至図３に示す。この実施例は、図３の展開図に示す紙製のブランクから組み立てて構成される包装箱２０である。
そのブランクの構成は、図３に示すように、底板２の両側縁に左右側板２６，２６を連設し、その左右両側板２５，２６の上縁に、折目線ｒを介して、連続する３つの延長片が第一延長片２２、第二延長片２３、第三延長片２４の順に設けられている。
【００２２】
また、底板２の前縁には折目線ｒを介して前面板３が連設されており、その前面板３の両側縁にそれぞれ折目線ｒを介して折込片２８が設けられている。
両折込片２８，２８には、それぞれその前面板３と折込片２８との間の折目線ｒの方向に対して４５度の方向に向く折目線２５ａを形成し、さらにその折目線２５ａに直交する切目線２５ｂを形成することにより、補強片２５が形成されている。
【００２３】
さらに、底板２の後縁には折目線ｒを介して後面板４が連設されており、その後面板４の両側縁には、前面板３と同様の構成からなる折込片２８と補強片２５が設けられている。
【００２４】
また、その後面板４の上縁には折目線ｒを介して蓋板２７が設けられている。蓋板２７の両側縁には、それぞれ折目線ｒを介して蓋端面板２７ｂ，２７ｃが設けられている。また、その蓋板２７の上縁には折目線ｒを介して蓋前面板２７ａが設けられている。
【００２５】
この包装箱２０を組み立てる際には、図１に基づいて説明すると、まず、底板２から前面板３と後面板４を立ち上げる。このとき、後面板４の上縁には蓋板２７が設けられているので、予め、その蓋板２７に対して蓋端面板２７ｂ，２７ｃ及び蓋前面板２７ａをそれぞれ折目線ｒを介して立ち上げておき、両者を図１に示すように糊代片２７ｄ，２７ｄを介して接着固定しておいてもよい。この接着固定は、後記の収納部２１を形成した後に行っても良い。
【００２６】
つぎに、左右両側板２６，２６を底板２から立ち上げる。このとき、既に立ち上げられた前面板３及び後面板４の各折込片２８，２８を予め内側に折り込んでおき、そして、各側板２６，２６に設けた３つの延長片２２，２３，２４を、図１に示すように、折目線ｒを介して順に内側に折り込んでいく。
【００２７】
このとき、補強片２５の先端縁２５ｃを含む上縁は、補強片２５を内側へ起立させる前の状態において、その補強片２５が介在する部分以外の折込片２８の上縁よりも上方へ突出し、その高さは側板２６の上縁よりも高く設定されている。このため、補強片２５は、上記３つの延長片２２，２３，２４の折り込みとともにその３つの延長片２２，２３，２４のうち第一延長片２２の内面に当たって内側へ押され、図示するように、折目線２５ａを介して内側に起立した状態となる。そして、その第一延長片２２は底板２に対して平行、第二延長片２３は底板２に対して垂直な向きとし、その第二延長片２３の内面に前記補強片２５の先端縁２５ｃを当接（線接触）させた状態で、第三延長片２４を底板２に接着固定し、延長片２２，２３，２４と底板２、及び側板２６とからなる断面四辺形の筒状の補強部１０を構成する。
【００２８】
このとき、折込片２８は、側板２６に沿って差し込まれてその側板２６の内面に面接触しており、前記補強片２５の先端縁２５ｃが第二延長片２３の内面に当接するので、その補強片２５は、補強部１０の内面間で横方向に突っ張って、その補強部１０を所定の断面四角形の形状に保持する。すなわち、その断面形状が形崩れしないように保持する。
補強片２５が補強部１０の断面形状を保持するので、底板２と前後面板３，４及び左右側板２６，２６等で構成される凹状の収納部２１の所定の剛性が維持され、すなわち包装箱２０の所定の剛性が維持されてその形崩れを防止し得る。
【００２９】
また、第二延長片２３に切目線ｃを介して設けられた突出片２９を、図１に示すように底板２に沿って外側に突出させれば、補強部１０はさらに形崩れしにくくなるので好ましい。
なお、図１に示す突出片２２ａは、蓋板２７側に設けた段部２７ｅに嵌って、その蓋板２７を閉鎖状態に係止する効果を有する。
【００３０】
この組立て作業において、補強片２５は、補強部１０を形成するために各側板２６，２６に設けた３つの延長片２２，２３，２４を折り込むと、自動的に内側へ起立するので、その組立て作業は非常に簡単である。
なお、上記のごとく補強片２５の上縁が折込片２８の上縁よりも突出していない場合においても、その補強片２５は、折込片２８を内側に折り込む前に、又は折り込んだ後に予め内側に向かって起立させておくことができるので、上記手順により補強部１０を形成する際に作業を煩雑にすることはない。
【００３１】
また、このように側板２６に補強部１０を設ければ、底板２周囲に立ち上がる側面パネルが外観上厚く見えるので、包装箱２０の高級感が増すという効果もある。
なお、上記実施例１では、各折込片２８は補強部１０内に差し込まれて対応する側板２６の内面に密着する。このとき、その折込片２８の上縁が第一延長片２２の下面に係止されることにより、底板２に対して前面板３、又は後面板４を起立した状態に維持するようになっている。底板２に対して前面板３、又は後面板４を起立した状態に維持する手段としては、このように各折込片２８と第一延長片２２との係止によって行ってもよいし、その他にも、例えば、各折込片２８の外面と対応する各側板２６，２６の内面とを接着固定してもよい。
【実施例２】
【００３２】
実施例２を図４乃至図６に示す。この実施例は、図４の展開図に示す２枚の紙製のブランクから組み立てて構成される包装箱３０であり、包装箱３０は、図５に示す容器本体（収納部）３１とその容器本体３１を摺動可能に収納する筒状カバー（蓋体）とから成る。
そのブランクの構成は、まず、容器本体３１を構成する図４の下方に示すブランクは、底板２の両側縁に左右側板３６，３６を連設し、その左右両側板３６，３６の上縁に、折目線ｒを介して、連続する３つの延長片が第一延長片３２、第二延長片３３、第三延長片３４の順に設けられている。
【００３３】
また、底板２の前縁には折目線ｒを介して前面板３が連設されており、その前面板３の両側縁にそれぞれ折目線ｒを介して折込片３８が設けられている。
両折込片３８，３８には、それぞれその前面板３と折込片３８との間の折目線ｒの方向に対して４５度の方向に向く折目線２５ａを形成し、さらにその折目線２５ａに直交する切目線２５ｂを形成することにより、補強片２５が形成されている。
【００３４】
さらに、底板２の後縁には折目線ｒを介して後面板４が連設されており、その後面板４には、前面板３と同様の構成からなる折込片３８と補強片２５が設けられている。
【００３５】
一方、筒状蓋体を構成する図４の上方に示す別のブランクは、上記容器本体３１の上面開口を閉じる蓋板３７の両側に折目線ｒを介して蓋側板３７ａ，３７ａが連設されており、その各蓋側板３７ａ，３７ａの外側には、それぞれ折目線ｒを介して蓋底板３７ｂ、及び接着片３７ｃが設けられている。
【００３６】
この包装箱３０の組み立て手順は、容器本体３１については、上記実施例１の収納部２１と同様であるので説明を省略する。筒状ケースの組立て手順は、図４の上方に示すブランクを折目線ｒを介して折り込んで筒状にし、接着片３７ｃと蓋底板３７ｂとを接着固定する。
【００３７】
図５に示すように、容器本体３１を筒状ケース内に摺動可能に収納し、その容器本体３１を筒状ケースから引き出すことにより、内部の収容物が取出し可能となる（図５に示す状態）。
このとき、図６に示すように、第一延長片３２に設けた係止片３５が、蓋板３７側に設けた係止部４１に係止して、その容器本体３１がそれ以上引き出されないようになっている。
【００３８】
なお、上記各実施例では、各折込片２８，３８には、それぞれその前面板３又は後面板４と、折込片２８又は折込片３８との間の折目線ｒの方向に対して４５度の方向に向く折目線２５ａを形成し、さらにその折目線２５ａに直交する切目線２５ｂを形成することにより補強片２５を形成した。その結果、補強板２５の板面の向きは、図１あるいは図５に示すように、底板２に対して斜め４５度の角度に傾斜したものとなっている。この補強片２５の板面の向きは、実施例に限定されず、補強片２５は、補強部１０内の対向する内面間を突っ張る限りにおいてその板面の方向は自由である。例えば、底板２に平行な板面を有する補強片２５であってもよいし、底板２に垂直であり、補強部１０の筒軸方向に交差する板面を有する補強片２５であってもよい。
また、上記の各実施例では、補強部１０は、側板に設けた延長片を内側に折り曲げて筒状に形成したが、補強部１０として、他の構成からなるものも採用し得る。例えば、凹状の収納部と筒状の補強部１０とを別々のブランクで形成して、両者を組立てた後、接着固定等により一体化してもよい。また、前面板３あるいは後面板４に補強部１０を設けても良い。
【図面の簡単な説明】
【００３９】
【図１】実施例１の開放状態を示す斜視図
【図２】同実施例の閉鎖状態を示す要部拡大斜視図
【図３】同実施例の展開図
【図４】実施例２を示す展開図
【図５】図４のブランクを組立てた状態を示す斜視図
【図６】図５の要部拡大斜視図
【図７】従来例の要部拡大斜視図
【図８】図７の包装箱を組立てる際の状況を示す要部拡大斜視図
【符号の説明】
【００４０】
１，２１、３１  収納部（容器本体）
２  底板
３  前面板
４  後面板
５，６，２６，３６  側板
７，２７，３７  蓋板
８，２８，３８  折込片
９，２９，３９  突出片
１０  補強部
１１，２０，３０  包装箱
１２，２２，３２  第一延長片（水平延長片）
１３，２３，３３  第二延長片（垂直延長片）
１４，２４，３４  第三延長片（接着用延長片）
１５，２５  補強片
２５ａ  折目線
２５ｂ  切目線
２５ｃ  先端縁
３５  係止片
４１  係止部
ｃ  切目線
ｒ，ｓ  折目線
【図１】
2007069948.tif 000003
【図２】
2007069948.tif 000004
【図３】
2007069948.tif 000005
【図４】
2007069948.tif 000006
【図５】
2007069948.tif 000007
【図６】
2007069948.tif 000008
【図７】
2007069948.tif 000009
【図８】
2007069948.tif 000010